(57)【要約】【課題】肉牛用飼料植物を劣化させることなく容易に乾燥させる方法を提供する。【解決手段】以下の（Ｉ）〜（III)の工程を少なくとも含む肉牛用飼料植物の乾燥方法であって、下記工程（III)において、１個のベール又は２個以上のベールの集合体の上部と、側周部のうち、高さ方向の上から６０％以上を、透湿度が１００ｇ／ｍ２・２４ｈｒ以上の透湿防水シートで覆った状態で保存して乾燥させることを特徴とする肉牛用飼料植物の乾燥方法。（Ｉ）  植栽地で栽培された植物を収穫する工程（II）  工程（Ｉ）で収穫した植物を、ベール成型装置によりベールに成型する工程（III)  工程（II）で得られたベールを１個又は２個以上の集合体として保存し乾燥させる工程【選択図】図１
2014014353.tif 000002
【特許請求の範囲】
【請求項１】
以下の（Ｉ）〜（III)の工程を少なくとも含む肉牛用飼料植物の乾燥方法であって、下記工程（III)において、１個のベール又は２個以上のベールの集合体の上部と、側周部のうち、高さ方向の上から６０％以上を、透湿度が１００ｇ／ｍ２・２４ｈｒ以上の透湿防水シートで覆った状態で保存して乾燥させることを特徴とする肉牛用飼料植物の乾燥方法。
（Ｉ）  植栽地で栽培された植物を収穫する工程
（II）  工程（Ｉ）で収穫した植物を、ベール成型装置によりベールに成型する工程
（III)  工程（II）で得られたベールを１個又は２個以上の集合体として保存し乾燥させる工程
【請求項２】
前記工程（III)において、前記ベールを地表面上で乾燥させ、かつ、該ベールと該地表面との間に、樹脂製又は木製のパレットを介在させる請求項１に記載の肉牛用飼料植物の乾燥方法。
【請求項３】
前記肉牛用飼料植物がイネ科植物である請求項１又は２に記載の肉牛用飼料植物の乾燥方法。
【請求項４】
前記肉牛が日本固有の肉専用種である請求項１ないし３のいずれか一項に記載の肉牛用飼料植物の乾燥方法。
【請求項５】
請求項１ないし４のいずれか一項に記載の肉牛用飼料植物の乾燥方法で飼料植物を乾燥させる工程を有する肉牛用飼料の製造方法。
【発明の詳細な説明】
【技術分野】
【０００１】
本発明は、植栽地で栽培された肉牛用飼料植物を収穫して乾燥する方法に関するものである。本発明はまた、この肉牛用飼料植物の乾燥方法により飼料植物を乾燥することにより肉牛用飼料を製造する方法に関するものである。
【背景技術】
【０００２】
乳牛や肉牛の主な粗飼料として現在、稲ワラが年間約１００万トン消費されており、その約３割は、乳牛用飼料として収穫直後の稲ワラのサイロ貯蔵や稲ワラベールを耐水性ポリエチレン樹脂製フィルムなどの牧草貯蔵用フィルムでラッピング後、発酵させて利用されている。一方、残りの約７割の稲ワラは、肉牛（育成牛、繁殖牛、肥育）用飼料として利用されている。品質の良い肉を安定的に生産するためには含水率が２０％以下に乾燥した稲ワラが求められているが、収穫後の天候不良により品質の良い安定的な稲ワラの確保や容量の大きい稲ワラベールの保管場所の確保や方法等の深刻な問題がある。
【０００３】
肉牛用飼料の製造にあたり、現状の対策としては、乾燥や半乾燥した稲ワラベールのポリエチレン樹脂製フィルムによるラッピング処理後、屋外保管されているケースが多く、鳥害による破損や紫外線等によるフィルム劣化に伴う保管中の品質低下による腐敗等のロスが発生している。
【０００４】
一方、半乾燥した裸ロールを倉庫内に在庫して乾燥させるケースもあり、倉庫の保管能力や倉庫保管中の発酵に伴い、カビが発生したり、火災が発生したり、荷崩れしたりする等の問題に直面している。
【０００５】
従って品質の良い稲ワラ等の確保のため遠距離からの輸送や輸入品に頼っているケースも多く、原料コストアップにより畜産農家の経営を圧迫している。
【０００６】
特許文献１には、土壌浄化（ファイトレメディエーション）用植物などの植物を収穫し、収穫した植物を、ベール成型装置によりベールに成型し、該ベールの全高のうち１／３〜１／５程度の上部のみを、透湿度が１００ｇ／ｍ２・２４ｈｒ以上の透湿防水シートで覆った状態で保存して乾燥させる方法が記載されている。
【先行技術文献】
【特許文献】
【０００７】
【特許文献１】特開２０１０−２４６５３１号公報
【発明の概要】
【発明が解決しようとする課題】
【０００８】
しかしながら、従来の牧草貯蔵用フィルムは通気性に乏しいため、牧草や稲ワラなどに含まれている水分がフィルムを通して容易に逃散せず、フィルム内部に籠もった水分がフィルム内面に結露し、牧草や稲ワラなどの粗飼料を良好な状態に維持することができずにカビが発生し腐敗させるなど、肉牛の好む飼料とはならず、劣化させることが少なからずあった。
【０００９】
また、特許文献１に記載されるように、透湿防水シートで保管中の肉牛用飼料のベールの上部（ベールの高さの１／３〜１／５の上部）のみを覆った場合、シートで被覆されていないベールの露出部が雨や雪により濡れ、ベールの表層部分を中心に乾湿が繰り返され、家畜にとって栄養価値が下がるとともにカビ等が発生し、家畜が中毒症を起こす懸念がある。
【００１０】
本発明は、上記従来技術の有する問題点に鑑みてなされたものであって、肉牛用飼料植物を劣化させることなく容易に乾燥させる方法と、この方法で飼料植物を乾燥して肉牛用飼料を製造する方法を提供することを課題とする。
【課題を解決するための手段】
【００１１】
本発明者らが鋭意検討した結果、肉牛用飼料植物を成型してなる、１個のベール又は２個以上のベールの集合体の上部と、側周部のうち、高さ方向の上から６０％以上を、特定の透湿防水シートで覆った状態で保存して乾燥させる方法が、特に肉牛用飼料植物の乾燥に適していることを見出し、本発明を完成するに至った。
即ち、本発明は、以下を要旨とする。
【００１２】
［１］  以下の（Ｉ）〜（III)の工程を少なくとも含む肉牛用飼料植物の乾燥方法であって、下記工程（III)において、１個のベール又は２個以上のベールの集合体の上部と、側周部のうち、高さ方向の上から６０％以上を、透湿度が１００ｇ／ｍ２・２４ｈｒ以上の透湿防水シートで覆った状態で保存して乾燥させることを特徴とする肉牛用飼料植物の乾燥方法。
（Ｉ）  植栽地で栽培された植物を収穫する工程
（II）  工程（Ｉ）で収穫した植物を、ベール成型装置によりベールに成型する工程
（III)  工程（II）で得られたベールを１個又は２個以上の集合体として保存し乾燥させる工程
【００１３】
［２］  前記工程（III)において、前記ベールを地表面上で乾燥させ、かつ、該ベールと該地表面との間に、樹脂製又は木製のパレットを介在させる［１］に記載の肉牛用飼料植物の乾燥方法。
【００１４】
［３］  前記肉牛用飼料植物がイネ科植物である［１］又は［２］に記載の肉牛用飼料植物の乾燥方法。
【００１５】
［４］  前記肉牛が日本固有の肉専用種である［１］ないし［３］のいずれかに記載の肉牛用飼料植物の乾燥方法。
【００１６】
［５］  ［１］ないし［４］のいずれかに記載の肉牛用飼料植物の乾燥方法で飼料植物を乾燥させる工程を有する肉牛用飼料の製造方法。
【発明の効果】
【００１７】
本発明の肉牛用飼料植物の乾燥方法によれば、カビを発生させたり、可溶無窒素物等の栄養価を低下させたりすることなく、肉牛用飼料植物を圃場で容易に集積、乾燥させて保存することが可能となる。
また、本発明の肉牛用飼料植物の乾燥方法によれば、乾燥中に飼料植物中のβ−カロテンの含有量を低下させることができ、このような飼料を肉牛に与えると、肉牛の脂肪交雑を増加させることができる。
また、本発明の肉牛用飼料の製造方法によれば、脂肪交雑の多い霜降り肉の生産に適した飼料を提供することができる。
【図面の簡単な説明】
【００１８】
【図１】本発明におけるベールの保存乾燥方法を示す模式図である。
【図２】比較例１におけるベールの保存乾燥方法を示す模式図である。
【図３】実施例４におけるベールの保存乾燥方法を示す模式図である。
【図４】実施例５におけるベールの保存乾燥方法を示す模式図である。
【図５】実施例６におけるベールの保存乾燥方法を示す模式図である。
【図６】実施例７におけるベールの保存乾燥方法を示す模式図である。
【発明を実施するための形態】
【００１９】
以下に本発明の肉牛用飼料植物の乾燥方法及び肉牛用飼料の製造方法の実施の形態を詳細に説明するが、以下に記載する構成要件の説明は、本発明の実施態様の一例（代表例）であり、本発明はこれらの内容に特定はされない。
【００２０】
本発明において、肉牛とは、肉牛生産を主な目的として飼育される牛（肉用牛）のことをいう。肉用牛としては乳用牛（例えば、ホルスタイン種）の雄子牛等も含まれるが、肉専用種であることが好ましい。肉専用種としては、日本固有の肉専用種（和牛）、外国産肉専用種が挙げられるが、日本固有の肉専用種であることが好ましい。本発明の肉牛用飼料植物の乾燥方法は、日本固有の肉専用種における霜降り肉の生産に適しているからである。霜降り肉の生産という観点からは、特に、本発明の方法により肉牛用飼料植物を乾燥させて得られた和牛用飼料は、生後１４ヶ月から３０ヶ月の和牛用の飼料として特に好適である。
日本固有の肉専用種としては、黒毛和牛（Japanese  Black）、褐毛和種（Japanese  Brown）、無角和種（Japanese  Poll）および日本短角種（Japanese  Shorthorn）の４種が挙げられる。
【００２１】
本発明の肉牛用飼料植物の乾燥方法は、以下の（Ｉ）〜（III)の工程を少なくとも含む肉牛用飼料植物の乾燥方法であって、下記工程（III)において、１個のベール又は２個以上のベールの集合体の上部と、側周部のうち、高さ方向の上から６０％以上を、透湿度が１００ｇ／ｍ２・２４ｈｒ以上の透湿防水シートで覆った状態で保存して乾燥させることを特徴とする。
（Ｉ）  植栽地で栽培された植物を収穫する工程
（II）  工程（Ｉ）で収穫した植物を、ベール成型装置によりベールに成型する工程
（III)  工程（II）で得られたベールを１個又は２個以上の集合体として保存し乾燥させる工程
【００２２】
＜肉牛用飼料植物収穫工程（Ｉ）＞
本発明で乾燥させる肉牛用飼料植物は、肉牛用飼料となる植物であればよく、特に制限はないが、例えば、稲（飼料用イネ、穂重型系イネ、晩生系イネなど）、アワ系植物（白ビエ、ミレットなど）、ヒエ（ケイヌビエ、イヌビエ、タイヌビエなど）、とうもろこし（スノーデント系、パイオニア系など）、イタリアンライグラス、ライ麦、えん麦、メヒシバ、イノコログサ、ソルガム（ソルゴーなど）、サトウキビ、などのイネ科植物が挙げられる。
【００２３】
また、キク科（アメリカセンダングサ、コスモス、ヒメジョオン、ハルジオン、ヒメムカシヨモギ、オオアレチノギク、アニノゲン、ヒマワリ、ベニバナ、など）、タデ科（イヌタデ、サナイタデ、オオイヌタデなど）、アブラナ科（カラシナ、スズシロソウなど）、ツユクサ科（ツユクサなど）、アオイ科（オクラ、トロロアオイ、ケナフなど）アカザ科（ホウレンソウ、アカザ、シロザ、飼料用ビート、甜菜など）、シソ科（シソなど）、マメ科（クロタラリア、セスバニアなど）、ハゼリソウ科（ファセリアなど）、ヒユ科（ホソアオゲトウ、アマランサス、など）、ドクダミ科（ドクダミなど）、オオバコ科（オオバコなど）、ナス科（タバコなど）が挙げられる。
【００２４】
これらの中でも、イネ科植物が好ましい。より好ましくは、適応植栽地が水田の場合は、農家が収穫機械を保有し、栽培、収穫技術が確立されている水稲品種が好ましく、適応植栽地が畑地の場合は、水稲品種や、生長が速くバイオマス量の大きいソルガムやとうもろこしが好ましい。
【００２５】
本技術が適応される植栽地としては、一般的には、肉牛用飼料植物が育成する場所であり、特に制限はないが、通常一般的な農用地、畜産飼料を栽培する農用地である。以下、これらの植栽地を「圃場」と称す場合がある。
【００２６】
肉牛用飼料植物は、根系（地下部）及び地上部を土壌から引き抜いて収穫してもよいし、地上部のみを刈り取ってもよい。
【００２７】
この中でも好ましくは、地上部のみを可能なかぎり地際から刈り取る方法が挙げられるが、具体的には、コンバイン、ホールクロップ収穫機、モアコンディショナ、コンバインベーラ、ディスクモア、コーンハーベスタ、等の機械を用いる方法により収穫することが好ましい。
【００２８】
収穫した肉牛用飼料植物は、収穫した直後は通常は８０重量％前後の水分を含んでいる。肉牛用飼料としては、水分含有量を２０重量％以下まで乾燥することが好ましいことから、ベール化の前にコンバイン等の収穫機で刈り倒し、圃場に放置して天日乾燥することが好ましい。この場合、その乾燥日数は、天候にもよるが、数日間、例えば半日〜１５日間程度である。ベール成型前にある程度の乾燥を行うことにより、得られるベールの密度が向上し、回収ベール数を減らすことで輸送能力向上が図れ、また、在庫中の腐敗を抑え、ベールの在庫時の保形性を維持し、輸送時のハンドリングのトラブルを防止することができる。
【００２９】
また、収穫時は肉牛用飼料植物の茎葉部と子実部を分別収穫しても良い。
分別収穫する方法は、通常の手段を用いればよく、具体的には、コンバインなどの機械で分別収穫する方法が挙げられる。分別収穫することにより、穂発芽の防止、鳥や鼠等による被害を防止することができる。特に、子実部は、セルロースと比べて、バイオ燃料や基礎化学品原料への転換が容易であるので、別回収系とすることにより、有効利用を図ることができる。
【００３０】
＜ベール成型工程（II）＞
収穫された肉牛用飼料植物は、ベール成型装置により成型してベールとする。
本発明でいうベールとは、ロールベール、又は、直方体状のコンパクトベール又はヘイベールなどを含む。
【００３１】
下記にロールベールの成型方法を記載するが、本発明のベールはロールベールに限定されず、コンパクトベール又はヘイベール、その他のベールであってもよい。その他のベールも通常の方法で成型することができる。
【００３２】
ロールベールを成型するには、ロールベーラを用いる。ロールベーラは、その機体の前端側に装備されているピックアップ装置により、圃場に刈り倒されている肉牛用飼料植物をピックアップして、帯状に連続する状態として、機体の後方に装備されているベール成型室に送り、そこで、ロール状に巻き締め圧縮し、所定の径のロールに成型したところで、トワイン又はネットを繰り出して、これの巻き付け締め付けにより梱包し、この梱包を終えたところで、成型したロールベールをロール成型室の開放により機体の後方に放出するものである。
【００３３】
通常、ロールベーラにより行う植物の成型作業は、機体を走行させて圃場面に放置してある肉牛用飼料植物をピックアップしながら行われることから、成型されたロールベールは、ロールベールの成型・梱包が終えた地点ごとに圃場面に放出されて放置されていく。
【００３４】
本発明に係るベールの大きさには特に制限はないが、通常、ロールベールの場合には、直径０．４〜２．０ｍで高さ０．５〜２．０ｍ程度、直方体状のベールの場合は、一辺が０．５〜５ｍ程度の立方体ないし直方体であることが好ましい。また、そのベール１個当たりの重量は、成型した飼料用植物の種類や天日乾燥の有無により差があるが、通常２５ｋｇ〜１．５トンの範囲で、水分含有率１５〜８５重量％（好ましくは１５〜３５重量％）、乾物梱包密度（乾物重量を容積で除した値）は、８０〜２００ｋｇ／ｍ３の範囲である。
【００３５】
＜ベール乾燥工程（III)＞
工程（II）で得られたベールを、保存し乾燥して水分含有率を低減する。
【００３６】
本発明においては、このベールの乾燥工程は、１個のベール又は２個以上のベールの集合体の上部と、側周部のうち、高さ方向の上から６０％以上を、透湿度が１００ｇ／ｍ２・２４ｈｒ以上の透湿防水シートで覆った状態で行う。
【００３７】
ベールの保存は屋外でも屋根のある建造物（例えば、ビニールハウスや倉庫）の中でもよいが、本発明は特に屋根の無い屋外、例えば圃場などで保存する場合において、建造物へのベールの運搬の手間や、ベールを保存するための建造物内のスペースの確保等を不要とすることができ好ましい。また、屋外で保存すると、太陽光に含まれる紫外線により飼料用植物に含まれるビタミンＡが減少する傾向にあり、このような飼料を肉牛に与えると肉牛中に含まれる脂肪交雑が増加するという効果が得られるので、好ましい。また、さらに、屋外で保存することにより、太陽光に含まれる紫外線により飼料中のＮＯ３−Ｎ含有量が減少し、肉牛の中毒症の発症確率を低下させたり、さらに、稲わら中に寄生する肝姪（肉牛の肝臓に寄生するギョウ虫）を駆除したりする効果も期待できる。
【００３８】
この場合において、ベールは直接地表面上に置いてもよいが、ベールが直接地表面に接しないように置くことが好ましく、樹脂製もしくは木製のパレットなどをベールと地表面の間に置き、直接地表面に接しないように保存するのが乾燥効率の面でより好ましい。このパレットの高さとしては１０〜２０ｃｍ程度が好ましい。
なお、地表面とは、土壌に限らず、コンクリート、アスファルト等も含まれる。
【００３９】
ベールの保存中にベールを覆う透湿防水シートは、透湿度が、通常１００ｇ／ｍ２・２４ｈｒ以上、好ましくは３００ｇ／ｍ２・２４ｈｒ以上、より好ましくは５００ｇ／ｍ２・２４ｈｒ以上であるものが好ましい。透湿防水シートの透湿度が低過ぎると、ベールを水分の多い状態で長期間置くことにより、シート内部で結露した水滴によって、飼料用植物が腐ったり、子実が含まれている場合には発芽したりする場合もあり、好ましくない。透湿防水シートの透湿度の上限は特に制限はないが、水が気体分子ではなく、液体分子の状態で大量にシートを通過する状態は好ましくない。
なお、本発明において、透湿防水シートの透湿度とは、ＪＩＳＺ０２０８（カップ法）法に基づく、４０℃、９０％ＲＨ時の測定値である。
【００４０】
また、この透湿防水シートは、透気度が５０００秒／１００ｃｍ３以下、ＭＤ及びＴＤの引張強度の少なくとも一方が９．８Ｎ／１５ｍｍ幅以上であることが好ましい。
ここでＭＤとは機械加工方向（Ｍａｃｈｉｎｅ  Ｄｉｒｅｃｔｉｏｎ）を意味し、ＴＤとは横断方向（Ｔｒａｎｓｖｅｒｓｅ  Ｄｉｒｅｃｔｉｏｎ）を意味する。
【００４１】
透湿防水シートの透気度が５０００秒／１００ｃｍ３を超えると、空気の通気性が悪くなり、乾燥効率が悪くなる。
【００４２】
また、透湿防水シートのＭＤ及びＴＤの引張強度の少なくとも一方が９．８Ｎ／１５ｍｍ幅未満であると、ベールの被覆材として使用した場合、強度的に不足し、破断等の現象が発生する場合がある。さらに十分な強度を得るためには、引裂強度が１．５Ｎ以上であることが好ましい。
【００４３】
また、本発明で用いる透湿防水シートの耐水圧は０．００２ＭＰａ以上であることが好ましい。ここで、耐水圧とはＪＩＳ Ｌ−１０９２に準拠して測定した値を意味する。耐水圧が０．００２ＭＰａ以上であると、雨水や水滴が透湿防水シートを透過してベールに達することがなく、透湿防水シートによる被覆の目的が十分達成される。特に好ましい耐水圧は、０．００２〜０．０９８ＭＰａの範囲であり、耐水圧が０．０９８ＭＰａ以下であると、透湿度及び透気度を損なうこともない。
【００４４】
本発明に係る透湿防水シートには、特段の制限はないが、多孔質布と多孔質ポリオレフィンフィルムとの積層体であってもよい。以下に、この多孔質布と多孔質ポリオレフィンフィルムとの積層体よりなる透湿防水シートについて説明する。
【００４５】
〈多孔質布〉
本発明に係る多孔質布には、特段の制限はないが、例えばスプリットヤーンから作製された割布、不織布、織布又は網状物などであって、目付が１０〜５００ｇ／ｍ２程度のものが好適である。中でも、不織布や網状物が好ましい。
【００４６】
多孔質布は、通気性、透湿性、柔軟性などを有し、後記する多孔性ポリオレフィンフィルムとの積層一体化のために、このフィルムと接着性を有することが重要である。
【００４７】
多孔質布の原料は、ポリアミド系樹脂、ポリエステル系樹脂、レーヨン、ポリオレフィン系樹脂などが挙げられる。多孔質布の原料には、その耐候性、耐光性、耐久性などを向上させるために、紫外線吸収剤、ヒンダードアミン系光安定剤、着色剤などの各種の樹脂添加剤を配合するのが好ましい。
【００４８】
不織布とは、製織、編組によらず繊維を布状（シート）にしたものをいい、繊維シートの製法別に、乾式法、湿式法、スパンボンド法などに分けられ、これらのうちいずれの方法によって製造されたものでもよい。不織布は、単位面積あたりの重量が１０〜５００ｇ／ｍ２、中でも２０〜３００ｇ／ｍ２の範囲のものを選ぶのが好ましい。
【００４９】
網状物とは、ポリエチレン、ポリプロピレン、エチレン−酢酸ビニルなどのオレフィン系樹脂を縦糸及び／又は横糸として網状に構成した網状多孔質布をいい、該オレフィン系樹脂はその幅が０．１〜１０ｍｍの範囲であることが好ましく、またその厚さは１０〜３００μｍの範囲、さらには１０〜５０μｍの範囲であることが好ましい。
網状物を製造する方法としては、上記オレフィン系樹脂を縦糸又は横糸の一方又は両方もしくは縦糸又は横糸の一部に用いて編織するか、縦糸と横糸とを重ね合せて置き、その交点を熱融着する等の方法を用いることができる。
【００５０】
なお、多孔質布は、防水（撥水）加工されていてもよい。
【００５１】
〈多孔質ポリオレフィンフィルム〉
多孔質ポリオレフィンフィルムには、特段の制限はないが、（Ａ）ポリオレフィン樹脂と（Ｂ）充填剤とを含む樹脂組成物を原料とするものが挙げられる。この樹脂組成物には光安定剤、紫外線吸収剤、可塑剤やラジカル発生剤を配合してもよい。
【００５２】
多孔質ポリオレフィンフィルムの原料となるポリオレフィン樹脂（Ａ）は、エチレン又はプロピレンのホモポリマー、エチレン又はプロピレンとこれらと共重合し得る他のモノマーとの共重合体であり、具体的には、低密度ポリエチレン、線状低密度ポリエチレン、エチレン−酢酸ビニル共重合体、密度０．９１０ｇ／ｃｍ３以下の超低密度ポリエチレン、ポリプロピレン、エチレン−プロピレン共重合体、エチレン−プロピレン−ジエン共重合体、エチレン−メクアクリル酸エステル共重合体、又はこれらの混合物などが挙げられる。
【００５３】
線状低密度ポリエチレンとは、エチレンと他の共重合可能なα−オレフィンとの共重合物をいう。共重合可能な他のα−オレフィンとしては、プロピレン、１−ブテン、１−ぺンテン、１−ヘキセン、１−オクテン、１−デセン、４−メチル−１−ペンテンなどが挙げられ、これらと共に１，４−へキサジエン、ジシクロペンタジエン、エチリデンノルボルネンなどの非共役ジエンを共重合させることもできる。
これらのポリオレフィン樹脂（Ａ）は、１種を単独で用いてもよく、２種以上を混合して用いてもよい。
【００５４】
ポリオレフィン樹脂（Ａ）に配合する充填剤（Ｂ）は、無機充填剤及び有機充填剤のいずれでもよい。無機充填剤としては、炭酸カルシウム、タルク、クレー、カオリン、シリカ、桂藻土、炭酸マグネシウム、炭酸バリウム、硫酸マグネシウム、硫酸バリウム、硫酸カルシウム、水酸化アルミニウム、酸化亜鉛、水酸化マグネシウム、酸化カルシウム、酸化マグネシウム、酸化チタン、アルミナ、マイカ、アスベスト粉、ガラス粉、シラスバルーン、ゼオライト、桂酸白土などが挙げられる。中でも、炭酸カルシウム、タルク、クレー、シリカ、桂藻土、硫酸バリウムなどが好適である。
有機充填剤としては、木粉、パルプ粉などのセルロース系粉末が挙げられる。
これらの充填剤（Ｂ）は、１種を単独で用いてもよく、２種以上を混合して用いてもよい。
【００５５】
充填剤（Ｂ）の平均粒径としては、３０μｍ以下のものが好ましく、中でも０．７〜５μｍのものが好ましい。粒径が大き過ぎると得られる多孔質ポリオレフィンフィルムの気孔の緻密性が悪くなり、また、粒径が小さ過ぎると樹脂への分散性が悪く、成形性も劣るものとなる。
【００５６】
多孔質ポリオレフィンフィルムの製造方法には、特段の制限はないが、例えば、特開平１０−２０３８８４号公報等に記載の方法を採用することができる。
【００５７】
〈積層体〉
多孔質ポリオレフィンフィルムと多孔質布とを積層させるには、(i)接着剤を用いる方法、(ii)熱接着による方法、などによることができる。いずれの方法による場合であっても、多孔質ポリオレフィンフィルムと多孔質布とは、それぞれの接着面積が対向する面の５〜６０％の範囲になるように接着するのが好ましい。この接着面積が５％未満であると、得られる積層体は接着部分が少ないため、使用の際に接着した部分が剥離し、接着面積が６０％を超えると、接着面積が広すぎて積層体の通気性、透湿性、柔軟性が低下するので、いずれも好ましくない。
【００５８】
多孔質ポリオレフィンフィルムと多孔質布とを接着させる方法は、特に制限はないが、上記(i)接着剤を用いて接着するには、ホットメルト接着剤、感圧接着剤などを使用する方法が好ましい。この際に使用できるホットメルト接着剤としては、ポリアミド、ポリエステル、ポリオレフィンなどの樹脂、テープ、ウエブなどが挙げられる。上記(ii)熱接着による場合には、多孔質布の表面を加熱し、多孔質布の素材が熱可塑性樹脂の場合にはこれを加熱溶融させながら、多孔質ポリオレフィンフィルムに押圧して接着する方法が挙げられる。いずれの接着法による場合であっても、接着面は、線条、点状、格子状、ランダム状などのいずれかとするのが好ましい。
【００５９】
本発明で用いる透湿防水シートとしての積層体は、製品強度の面からは３層、４層などの多層構造の積層体であることが好ましい。例えば、このような積層体としては、多孔質布／多孔質ポリオレフィンフィルム／多孔質布のような３層積層体や、多孔質布／多孔質ポリオレフィンフィルム／多孔質布／多孔質布のような４層積層体が挙げられる。
【００６０】
以上のような本発明に好適な物性を示す透湿防水シートとして好ましいものとしては、具体的には、三菱樹脂社製の「エクセポールＤＣＳ３」、「エクセポールＤＣＳ４」、ＤｕＰｏｎｔ社製の「タイベックソフトタイプ・ハードタイプ」、「タイベック４００ＷＰ」、「タイベック７００ＡＧ」、「タイベック７６０ＡＧ」、「タイベック１０００ＡＧ」などのシートが挙げられ、耐水性がより良好な点から、「エクセポールＤＣＳ３」又は「エクセポールＤＣＳ４」が好ましい。
【００６１】
このような透湿防水シートを用いて、本発明では、ベール又はベールの集合体の上部と、側周部のうち、高さ方向の上から６０％以上を、この透湿防水シートで覆った状態で保存する。
以下、ベール又はベールの集合体の側周部を透湿防水シートで被覆する高さ方向の割合を「被覆率」と称す。
【００６２】
透湿防水シートによる被覆率が６０％未満では、非被覆部が多過ぎることにより、雨や雪により保存中のベールが濡れたり再び天日で乾燥されたりを繰り返すことでベールの表層部の乾湿の繰り返しで飼料用植物が変質して栄養価が低下したり、カビが発生したりして飼料として不適当なものとなる。被覆率は好ましくは８０％以上、より好ましくは９０〜１００％である。
なお、透湿防水シートにより被覆されていない部分を他のシート（ブルーシート等）で被覆してもよい。例えば、ベールのうち透湿防水シートで被覆しない部分（地表に近い部分）を予めブルーシート等で被覆しておき、その上から透湿防水シートをかけて被覆することが好ましい。このようにすると、防水の観点から有効であり、また、透湿防水シートで全体を被覆するよりもコストを抑えることができる。
【００６３】
なお、複数個のロールベールを並列配置して集合体として保存する場合、隣接するロールベール間の間隙が大き過ぎると保管面積が増え、透湿防水シートのコストが高くなり、一方、小さ過ぎると乾燥効果が低下して品質不良が起こりやすい。従って、ロールベール間隙は５〜３０ｃｍ、特に１０〜２０ｃｍ程度とすることが好ましい。
【００６４】
また、透湿防水シートとロールベールとの間には若干の間隙を形成するのが、乾燥効率や透湿防水シート上の水溜り防止の面で好ましく、従って、例えば、後述の実施例１のように、ロールベールの上面にカゴのようなスペーサーとなる通気性の嵩上げ材を載置して、ロールベールの上面と透湿防水シートとの間に１５〜３０ｃｍ程度の間隙を設け透湿防水シート上の水溜りを防止、また、ロールベールを載置するパレットをロールベールの集合体よりも若干大きなものとし、透湿防水シートの辺縁部をパレットに固定した際に、ロールベールの側面と透湿防水シートとの間にも１０〜２０ｃｍ程度の間隙が形成されるようにすることが好ましい。
【００６５】
なお、透湿防水シートは風圧などで飛ばされることがないように、
（１）  透湿防水シートの端部をビニール紐などでパレットに結び付ける
（２）  透湿防水シートの四隅に鳩目を作りビニール紐もしくはゴムひもで鳩目部分をパ
レットに結び付ける
（３）（１）もしくは（２）の方法に鳥被害防止や透湿防水シート保護を目的に防鳥ネッ
トを組み合わせる
などで固定することが好ましい。
【００６６】
このような保存による乾燥期間は、保存条件によっても異なり、乾燥後のベールが後述の好適な水分含有率となるような期間であるが、通常２０日以上、好ましくは１ヶ月以上、より好ましくは２ヶ月以上である。この保存乾燥期間が短すぎると、乾燥が十分進まない。保存乾燥期間は長くても特に問題はないが通常一年以下である。
【００６７】
なお、保存乾燥期間中、温度や湿度等の保存条件を制御することも可能であるが、調温や調湿を行うことは、徒にコストを引き上げることとなり、不経済であるので、屋外の自然乾燥下で保存するのがよい。
【００６８】
このような乾燥工程を経た後のベールの水分含有率（ベール重量に占める水分重量の百分率）は、通常５０重量％以下、好ましくは４０重量％以下で、特に３０重量％以下、とりわけ２０重量％以下であることが好ましい。乾燥後のベールの水分含有率が多すぎると、ベールの全体重量が大きく、その後の諸作業が困難となり、物流のエネルギ−を多く消費することになる。乾燥後のベールの水分含有率の下限は特に制限はないが１０重量％以下にまで水分含有率を低減するのは、通常、困難である場合が多い。
また、この乾燥工程における乾燥の程度は、乾燥前のベールの水分含有率と乾燥後のベールの水分含有率の差が２０重量％以上、特に３０重量％以上となるように行うことが、飼料稲ワラ品質の点で好ましい。
【００６９】
このようにして乾燥されたベールは、肉牛、特に日本固有の肉専用種（和牛）の飼料として好適に用いられる。
【実施例】
【００７０】
以下に、本発明を実施例によって更に具体的に説明するが、本発明はその要旨を超えない限り、以下の実施例の記載に限定されるものではない。
【００７１】
なお、以下において、乾燥後のベールの良否は、以下のポテトデキストロース（１０％）寒天平板培養法によるカビ数の分析により評価した。
＜ポテトデキストロース（１０％）寒天平板培養法＞
ロールベールの表面及び中心部分から、試料（１０ｇ）を採取し、滅菌希釈水で１０倍希釈試料液を調製した。シャーレ内のポテトデキストロース（グルコース１０％）に１０段階希釈した試料液１ｍｌを加え、混釈平板の調整をした。該混釈平板を２５±１℃で７日間静置し、静置後の混釈平板についてカビ集落の計測を行った。コロニー数はカビ集落数と希釈倍率をかけ合わせたものとした。
【００７２】
＜栄養成分の分析方法＞
栄養成分は、飼料分析法・解説（２００９）（試料分析基準研究会編、２０１０年１月発行）に基づき測定した。粗蛋白質はケルダール法（飼料分析基準第３章２．１）、粗脂肪はジエチルエーテル抽出法（飼料分析基準第３章３．１）、粗繊維はろ過法（飼料分析基準第３章４
２））、粗灰分は直接灰化法（飼料分析基準第３章７）により測定を行った。可溶無窒素物（飼料分析基準第３章８）は次式により算出した。
可溶無窒素物量（％）＝１００−（水分量（％）＋粗蛋白質量（％）
＋粗脂肪量（％）＋粗繊維量（％）＋粗灰分量（％））
【００７３】
＜β−カロテンの分析方法＞
β−カロテンは、栄養表示基準における栄養成分等の分析方法等について（平成１１年４月２６日、衛新第１３号）に基づき、高速液体クロマトグラフ法「２４．ビタミンＡ（レチノール、カロテン）（３）高速液体クロマトグラフ法）」により測定を行った。
【００７４】
［実施例１］
福岡県にて２０１１年７月１２日〜１１月３日の期間に栽培した飼料稲（品種：ミズホノチカラ）をビコン社製ディスクモア「ＣＭ１７００」にてモミとワラ一体で刈り取り、圃場にて１２日間天日乾燥後、タカキタ社製ロールベーラ「ＲＢ１０７１」で複数個のロールベールとして回収した。ロールベールの大きさは、直径１ｍ、高さ１ｍの円柱形で、１個当たりの平均重量は１３４．５ｋｇ、水分含有率は３４重量％であった。
【００７５】
次いで、図１に示すように、圃場の上に置いた樹脂製パレット（１１００ｍｍ×１１００ｍｍ×高さ１５０ｍｍのものを６枚敷き並べた。）の上に円柱状のロールベール１０を１個ずつ縦置きし、ロールベール１０，１０間に１５ｃｍの間隙をあけて、６個のロールベールを南北方向に一列に並べ、樹脂製の洗濯物取り入れ用のカゴ（横：４３ｃｍ、縦：３０ｃｍ、高さ：２２ｃｍ）１２を５個、各々のロール１０，１０の間の上部に載せ、その上に三菱樹脂社製透湿防水シート「（商品名）エクセポール（登録商標）ＤＣＳ４」（透湿度４６８１ｇ／ｍ２・２４ｈｒ、ＭＤ方向の引張強度１９３Ｎ／１５ｍｍ幅、ＴＤ方向の引張強度１６０Ｎ／１５ｍｍ幅、透気度６００〜８００秒／１００ｃｍ３、耐水圧０．０４９ＭＰａ）１３をかぶせて、ロールベール１０の集合体の上部と側周部の全面（即ち、集合体の底面を除く全面）を覆った（被覆率１００％）。また、強風等による透湿防水シート１３のまくり上がりを避けるため、シートの端をビニール紐１４でパレット１１に固定した。ロールベール１０の側面と透湿防水シート１３との間には１０〜２０ｃｍ程度の間隙が形成された。この状態で、１１月１５日〜１２月２８日の約１．５ヵ月間ロールベール１０を保存した。
この期間の気象条件は、晴れ２５日、曇り１７日、雨２日、総降水量１２９．５ｍｍであった。約１．５ヵ月後のロールベール１個当たりの平均重量は９３．１ｋｇで、水分含有率は１８重量％であった。
【００７６】
この保存後のロールベールの一部をサンプリングし、上記ポテトデキストロース（１０％）寒天平板培養法によりカビ数を分析したところ、稲わら１ｇあたりのカビのコロニー数は平均で２．３×１０３個／ｇであった。
【００７７】
［比較例１］
実施例１と同様に、福岡県にて２０１１年７月１２日〜１１月３日の期間に栽培した飼料稲（品種：ミズホノチカラ）をビコン社製ディスクモア「ＣＭ１７００」にてモミとワラ一体で刈り取り、圃場にて１２日間天日乾燥後、タカキタ社製ロールベーラ「ＲＢ１０７１」で複数個ロールベールとして回収した。ベールの大きさは、直径１ｍ、高さ１ｍの円柱形で、１個当たりの平均重量は１３０．３ｋｇで、水分含有率は３４重量％であった。
【００７８】
次いで、図２に示すように、圃場の上に置いた樹脂製パレット（１１００ｍｍ×１１００ｍｍ×高さ１５０ｍｍ）１１の上に円柱状のロールベール１０を１個ずつ縦置きし、実施例１と同様に、６個を南北方向に一列に並べ、樹脂製の洗濯物取り入れ用のカゴ１２を５個、各々のロール１０，１０の間の上部に載せ、その上に、実施例１で用いたものと同じ三菱樹脂社製透湿防水シート「（商品名）エクセポール（登録商標）ＤＣＳ４」をかぶせて、ロールベール１０の上部と側周部の一部を覆った。即ち、ロールベール１０は、その全高のうち約１／３程度の上部のみが透湿防水シート１３で覆われ、それ以外は表出している（側周部の被覆率３３％）。また、強風等による透湿防水シート１３のまくり上がりを避けるため、シート１３の端をビニール紐１４でパレット１１に固定した。この状態で、実施例１と同様に、１１月１５日〜１２月２８日の約１．５ヵ月間ロールベールを保存した。
約１．５ヵ月後のロールベール１個当たりの重量は９６．５ｋｇで、水分含有率は１８重量％であった。
この保存後のロールベールの一部をサンプリングし、上記ポテトデキストロース（１０％）寒天平板培養法によりカビ数を分析したところ、稲わら１ｇあたりのカビのコロニー数は平均で１．７×１０７個／ｇであった。
【００７９】
［参考例１］
実施例１と同様に、福岡県にて２０１１年７月１２日〜１１月３日の期間に栽培した飼料稲（品種：ミズホノチカラ）をビコン社製ディスクモア「ＣＭ１７００」にてモミとワラ一体で刈り取り、圃場にて１２日間天日乾燥後、タカキタ社製ロールベーラ「ＲＢ１０７１」で複数個ロールベールとして回収した。ベールの大きさは、直径１ｍ、高さ１ｍの円柱形で、１個当たりの平均重量は１３４．５ｋｇ、水分含有率は３４重量％であった。
このロールベールの一部をサンプリングし、上記ポテトデキストロース（１０％）寒天平板培養法によりカビ数を分析したところ、稲わら１ｇあたりのカビのコロニー数は平均で１．３×１０２個／ｇであった。
【００８０】
これらの結果を表１にまとめて示す。
【００８１】
【表１】
2014014353.tif 000003
【００８２】
表１より、本発明によればカビ発生等、飼料用植物を劣化させることなく、効果的に乾燥させることができることが分かる。
これに対して、上部カバーのみの比較例１では、カビが大量に発生し、飼料としては不適当である。
【００８３】
［実施例２］
福岡県にて栽培した稲（品種：ヒノヒカリ）を自脱型コンバイン「クボタＥＲ６９８」にて刈り取り、天日乾燥を行わずに刈り取り直後に、タカキタ社製ロールベーラ「ＲＢ１０００」で複数個のロールベールとして回収した。
ベールの大きさは、直径１．１５ｍ、高さ１ｍの円柱形で、１個当たりの平均重量は２１９．１ｋｇで、水分含有率は５９．２重量％であった。
次いで、保存期間を２０１１年１０月６日から１２月５日の２ヶ月間に変更したこと以外は、実施例１と同様にしてロールベールを保存した。
この期間の気象条件は、晴れ４９日、曇り３３日、雨５日、総降水量２６２ｍｍであった。約２ヵ月後のロールベール１個当たりの平均重量は１１８．９ｋｇで、水分含有率は３２．８重量％であった。
【００８４】
［実施例３］
刈り取り後の天日乾燥を３日間行ったこと以外は、実施例２と同様にして、ロールベールを回収、および保存した。
【００８５】
実施例２及び３で得られた保存後のロールベールの一部をサンプリングし、上述の方法により栄養成分の分析を行った。
参考データとして、実施例２のロールベールの保存開始時にサンプリングした場合の結果と、実施例２と同様にして栽培した稲をロールベールにすることなく圃場に３日間、または８日間放置した後にサンプリングした場合（圃場放置ワラ）の結果と共に表２にまとめて示す。なお、単位は、いずれも重量％である。
【００８６】
その結果、圃場放置ワラの場合は、肉牛用飼料として栄養価値が高い可溶無窒素物が雨濡れの影響で１６％〜１８％減少していたが、実施例２および３では、圃場放置ワラの場合と比較して可溶無窒素物の減少を抑えることができた。
【００８７】
【表２】
2014014353.tif 000004
【００８８】
［実施例４］
北海道にて２０１１年５月〜９月２５日の期間に栽培した稲（品種：ユキヒカリ）をヤンマー社製汎用型コンバイン「ＧＣ１４５０」にて収穫し、圃場にて２日間天日乾燥後、タカキタ社製ロールベーラ「ＳＲ１２２０」で２個のロールベールとして回収した。ロールベールの大きさは、直径１．３ｍ、高さ１．２ｍの円柱形で、１個当たりの平均重量は１９６．８ｋｇ、水分含有率は２６重量％であった。
【００８９】
次いで、図３に示すように、圃場の上に置いた樹脂製パレット（１１００ｍｍ×１１００ｍｍ×高さ１５０ｍｍ）の上に円柱状のロールベール１０を１個縦置きし、さらにその上に直接、もう１個のロールベール１０を積み上げて、２段積みのロールベールとし、樹脂製の洗濯物取り入れ用のカゴ（横：４３ｃｍ、縦：３０ｃｍ、高さ：２２ｃｍ）１２を１個、上段のロール１０の上部に載せ、その上に三菱樹脂社製透湿防水シート「（商品名）エクセポール（登録商標）ＤＣＳ４」（透湿度４６８１ｇ／ｍ２・２４ｈｒ、ＭＤ方向の引張強度１９３Ｎ／１５ｍｍ幅、ＴＤ方向の引張強度１６０Ｎ／１５ｍｍ幅、透気度６００〜８００秒／１００ｃｍ３、耐水圧０．０４９ＭＰａ）１３をかぶせて、２段積みのロールベール１０の上部と側周部の全面（即ち、集合体の底面を除く全面）を覆った（被覆率１００％）。また、強風等による透湿防水シート１３のまくり上がりを避けるため、シートの端をビニール紐１４でパレット１１に固定した。ロールベール１０の側面と透湿防水シート１３との間には１０〜２０ｃｍ程度の間隙が形成された。この状態で９月２７日〜４月１２日の約６ヵ月間ロールベール１０を保存した。
この期間の気象条件は、晴れ９３日、曇り８９日、雨４日、雪１２日、総降水量３３０．５ｍｍ、最大積雪量１３３ｃｍであった。
約６ヵ月間保存後のロールベール１個当たりの平均重量は１４８．１ｋｇで、水分含有率は１５重量％であった。
【００９０】
この保存後の下段のロールベールの３ヶ所よりサンプリングし、上述の方法によりβ−カロテンの分析を行ったところ、β−カロテン含有量は３ヶ所の平均値で６．３ｍｇ／ｋｇであった。
【００９１】
［実施例５］
福岡県大川市にて２０１１年７月〜１１月５日の期間に栽培した飼料用稲（品種：ミズホノチカラ）をクボタ製自脱型コンバインにて収穫し、圃場にて２日間天日乾燥後、タカキタ社製ロールベーラ「ＲＢ１０７１」で２０個のロールベールとして回収した。ロールベールの大きさは、直径０．８５ｍ、高さ０．９ｍの円柱形で、１個当たりの平均重量は９６．５ｋｇ、水分含有率は３４重量％であった。
【００９２】
次いで、図４に示すように、圃場の上に置いた樹脂製パレット（１１００ｍｍ×１１００ｍｍ×高さ１５０ｍｍのものを１０枚敷き並べた。）の上に円柱状のロールベール１０を５個、２列にして縦置きし（隣接するロールベール同士の間の間隙は約１０ｃｍ）、さらにその上に直接、ロールベール１０を積み上げて、２段積みのロールベールを置き、樹脂製の洗濯物取り入れ用のカゴ（横：４３ｃｍ、縦：３０ｃｍ、高さ：２２ｃｍ）１２を４個、上段のロール１０の上部に載せ、その上に三菱樹脂社製透湿防水シート「（商品名）エクセポール（登録商標）ＤＣＳ４」（透湿度４６８１ｇ／ｍ２・２４ｈｒ、ＭＤ方向の引張強度１９３Ｎ／１５ｍｍ幅、ＴＤ方向の引張強度１６０Ｎ／１５ｍｍ幅、透気度６００〜８００秒／１００ｃｍ３、耐水圧０．０４９ＭＰａ）１３をかぶせて、ロールベール１０の集合体の上部と側周部の全面（即ち、集合体の底面を除く全面）を覆った（被覆率１００％）。また、強風等による透湿防水シート１３のまくり上がりを避けるため、シートの端をビニール紐１４でパレット１１に固定した。ロールベール１０の側面と透湿防水シート１３との間には１０〜２０ｃｍ程度の間隙が形成された。この状態で１１月２５日〜５月１０日の約６ヵ月間ロールベール１０を保存した。
この期間の気象条件は、晴れ９９日、曇り６５日、雨４日、総降水量５２１ｍｍ、最大積雪量５ｃｍであった。
約６ヵ月間保存後のロールベール１個当たりの平均重量は７５ｋｇで、水分含有率は１５重量％であった。
【００９３】
この保存後の下段のロールベールの３ヶ所よりサンプリングし、上述の方法によりβ−カロテンの分析を行ったところ、β−カロテン含有量は３ヶ所の平均値で０．７ｍｇ／ｋｇであった。
参考データとして、富山県農林水産総合技術センター発行『畜産だより  平成２２年５月号  県内産稲わらのサイレージ利用で飼料自給率向上〜β−カロテンを低減し、α−トコフェロールを維持する調整法〜』によれば、生稲わらのβ−カロテン含有量は、通常、乾燥した稲わら１ｋｇ当たり１０〜５０ｍｇ／ｋｇである。また、稲わらをロールベールにすることなく、圃場に２日間天日乾燥したものについては、β−カロテン含有量は乾燥した稲わら１ｋｇ当たり１０〜１５ｍｇ／ｋｇである。
【００９４】
これらの結果をまとめた表３より、本発明の乾燥方法によれば、乾燥中に、飼料中のβ−カロテンの含有量を減少させることができることがわかる。
飼料中のβ−カロテン（家畜の体内においてビタミンＡに変換される。）の含有量は肉質への影響が大きく、飼料中のビタミンＡを低くすることによって成長ホルモン放出が抑制され、成長ホルモンによる脂肪分解が低下し、その結果、脂肪蓄積が増して脂肪交雑（筋肉中に細かく入っている脂肪のことで霜降りとも呼ばれる。）が増加する傾向にある。  従って、本発明の方法により乾燥された飼料は、肉牛において脂肪交雑を増加させるのに有効である。
【００９５】
【表３】
2014014353.tif 000005
【００９６】
［実施例６］
山形県酒田市にて２０１２年５月〜１０月６日の期間に栽培した稲（品種：はえぬき）を自脱型コンバインにて収穫し、圃場にて３日間天日乾燥し、反転作業を１０月８日に1回実施後、タカキタ社製ロールベーラ「型番ＶＣ−９８１ＷＸＣ」で２８個のロールベールとして回収した。ロールベールは、直径１．０ｍ、高さ０．９５ｍの円柱形であり、水分含有率は２８．８重量％、上述の分析方法で求めたβ−カロテン含有量は乾燥した稲わら１ｋｇ当たり３５．５ｍｇ／ｋｇであった。
【００９７】
次いで、圃場の上に置いた木製パレット（１１００ｍｍ×１１００ｍｍ×高さ１５０ｍｍのものを実施例５におけると同様に１０枚敷き並べた。）の上に、図５に示すように、円柱状のロールベール１０を、１列５個として２列にして置き、さらにその上に直接、もう１段のロールベール１０を１段目と同様にして積み上げて、２段積みのロールベールとし、さらに３段目に４個のロールベール１０を横置きした。その上に、実施例５におけると同様に（ただし、樹脂製カゴは使用せず）、三菱樹脂社製透湿防水シート「（商品名）エクセポール（登録商標）ＤＣＳ４」（透湿度４６８１ｇ／ｍ２・２４ｈｒ、ＭＤ方向の引張強度１９３Ｎ／１５ｍｍ幅、ＴＤ方向の引張強度１６０Ｎ／１５ｍｍ幅、透気度６００〜８００秒／１００ｃｍ３、耐水圧０．０４９ＭＰａ）をかぶせて、３段積みのロールベール１０の集合体の上部と側周部の全面（即ち、集合体の底面を除く全面）を覆った（被覆率１００％）。また、強風等による透湿防水シートのまくり上がりを避けるため、実施例５におけると同様に、シートの端をビニール紐でパレットに固定した。ロールベール１０の側面と透湿防水シートとの間には１０〜２０ｃｍ程度の間隙が形成された。この状態で１０月９日〜１２月１４日の約２ヵ月間ロールベール１０を保存した。
この期間の気象条件は、晴れ２３日、曇り３２日、雨１０日、雪２日、総降水量７３９．５ｍｍ、最大積雪量８ｃｍであった。
約２ヵ月間保存後のロールベールの水分含有率は、２０．２重量％であった。
【００９８】
この保存後の１段目と２段目のロールベールの８ヶ所よりサンプリングし、上述の方法によりβ−カロテンの分析を行ったところ、β−カロテン含有量は８箇所の平均値で、乾燥した稲わら１ｋｇ当たり２．６ｍｇ／ｋｇであった。
【００９９】
［比較例２］
三菱樹脂社製透湿防水シート「（商品名）エクセポール（登録商標）ＤＣＳ４」の代わりに、タカキタ社製ラッピングマシーン「型番ＳＷ１１１０Ｗ」を用いて、ロールベール４個をそれぞれラッピングフィルム（大倉工業（株）製、ＯＫサイロ、ポリエチレン製、厚さ２５μｍ）を６層巻きにして全面被覆して保存したこと以外は、実施例６と同様の条件で試験を行った。ここで、ポリエチレン（密度０．９２ｇ／ｃｍ３）の透湿度は、１層（厚さ２５μｍ）あたり２．７ｇ／ｍ２・２４ｈｒ（日本プラスチック工業連盟誌  『プラスチックスＶｏｌ．５１，Ｎｏ．６  プラスチック材料の各動特性の試験法と評価結果』安田ポリマーリサーチ研究所  安田武夫）であるので、本比較例で用いたラッピングフィルムの透湿度は、６層全体で２．７ｇ／ｍ２・２４ｈｒ以下であるといえる。
約２ヵ月間保存後のロールベールの水分含有率は、２６．８重量％であった。
この保存後のロールベールの４ヶ所よりサンプリングし、上述の方法によりβ−カロテンの分析を行ったところ、β−カロテン含有量の平均値は乾燥した稲わら１ｋｇ当たり２１．５ｍｇ／ｋｇであった。
【０１００】
上記の実施例６と比較例２の結果を表４にまとめて示す。表４より、本発明の乾燥方法によれば、乾燥中に、飼料中のβ−カロテンの含有量を減少させることができることがわかる。
【０１０１】
【表４】
2014014353.tif 000006
【０１０２】
［実施例７］
鹿児島県肝属郡東串良町新川西にて２０１２年４月〜８月１４日の期間に栽培した稲（品種：いくひかり）をクボタ社製自脱型コンバイン「型番ＡＲＮ４４５」にて収穫し、圃場にて１回反転を加え１日間の天日乾燥をした後、スター社製ロールベーラで１６個のロールベールとして回収した。ロールベールは、直径１．０ｍ、高さ１．０ｍの円柱形であり、水分含有率は３２．７重量％、上述の分析方法で求めたβ−カロテン含有量は乾燥した稲わら１ｋｇ当たり８．１ｍｇ／ｋｇであった。
【０１０３】
次いで、農場空き地に、ブロックを土台として４本の角材を渡した、ロールベール設置台（４０００ｍｍ×１５００ｍｍ×高さ１５０ｍｍ）の上に、図６に示すように、円柱状のロールベール１０を、１列４個で２列置き、さらにその上に直接、もう１段のロールベール１０を１段目と同様の置き方で積み上げて、２段積みのロールベールの集合体とし、その上に、樹脂製のコンテナ（横：３５ｃｍ、縦：２５ｃｍ、高さ：４０ｃｍ）１５を４個載せた。さらに、その上に実施例５と同様に、三菱樹脂社製透湿防水シート「（商品名）エクセポール（登録商標）ＤＣＳ４」（透湿度４６８１ｇ／ｍ２・２４ｈｒ、ＭＤ方向の引張強度１９３Ｎ／１５ｍｍ幅、ＴＤ方向の引張強度１６０Ｎ／１５ｍｍ幅、透気度６００〜８００秒／１００ｃｍ３、耐水圧０．０４９ＭＰａ）をかぶせて、２段積みのロールベール１０の集合体の上部と側周部の全面（即ち、集合体の底面を除く全面）を覆った（被覆率１００％）。また、強風等による透湿防水シートのまくり上がりを避けるため、実施例５におけると同様に、シートの端をビニール紐でロールベール設置台に固定した。ロールベール１０の側面と透湿防水シートとの間には１０〜２０ｃｍ程度の間隙が形成された。この状態で８月１５日〜１１月１５日の約３ヵ月間ロールベール１０を保存した。
この期間の気象条件は、晴れ６３日、曇り２１日、雨９日、総降水量６９４．５ｍｍであった。
約３ヵ月間保存後のロールベールの水分含有率は１８．５重量％であった。
【０１０４】
この保存後の上段および下段のロールベールの８ヶ所よりサンプリングし、上述の方法によりβ−カロテンの分析を行ったところ、乾燥した稲わら１ｋｇ当たりのβ−カロテン含有量は、いずれも検出限界（０．２ｍｇ／ｋｇ）以下であった。
【０１０５】
［比較例３］
三菱樹脂社製透湿防水シート「（商品名）エクセポール（登録商標）ＤＣＳ４」の代わりに、タカキタ社製ラッピングマシーン「型番ＷＭ１０６１」を用いてロールベール１個をラッピングフィルム（シーアイ化学製、牧草サイレージ用ストレッチフィルム、ポリエチレン製、厚さ２５μｍ）にて６層巻きにして全面被覆して保存したこと以外は、実施例７と同様の条件で試験を行った。ここで、比較例２に記載の通り、本比較例で用いたポリエチレン製のラッピングフィルムの透湿度は、６層全体で２．７ｇ／ｍ・２４ｈｒ以下であるといえる。
約３ヵ月間保管後のロールベールの水分含有率は、２７．３重量％であった。
この保存後のロールベールの２ヶ所よりサンプリングし、上述の方法によりβ−カロテン含有量の分析を行ったところ、β−カロテン含有量の平均値は乾燥した稲わら１ｋｇ当たり４．３ｍｇ／ｋｇであった。
【０１０６】
上記の実施例７と比較例３の結果を表５にまとめて示す。表５より、本発明の乾燥方法によれば、乾燥中に、飼料中のβ−カロテンの含有量を減少させることができることがわかる。
【０１０７】
【表５】
2014014353.tif 000007
【符号の説明】
【０１０８】
１０  ロールベール
１１  パレット
１２  カゴ
１３  透湿防水シート
１４  ビニール紐
１５  コンテナ
【図１】
2014014353.tif 000008
【図２】
2014014353.tif 000009
【図３】
2014014353.tif 000010
【図４】
2014014353.tif 000011
【図５】
2014014353.tif 000012
【図６】
2014014353.tif 000013